(57)【要約】      （修正有）【課題】  小型で安定したブラシ押圧力及び絶縁性を有する電動機及びそれを備えたシートベルト装置を提供する。【解決手段】  フレーム、ブラケット３１、シャフト、ロータコア、コイル、シャフトに固定され、コイルと接続されるコミテータ、コミテータの周面に摺接される複数のブラシ３２，３３、各ブラシ３２，３３をコミテータ２４に対して付勢する複数の付勢手段４１，４２と、を備えた電動機において、複数の付勢手段４１，４２は、コイル部４１ａ，４２ａと、コイル部４１ａ，４２ａから延伸し、ブラシ３２，３３に当接する当接部４１ｂ，４２ｂと、をそれぞれ有し、各コイル部４１ａ，４２ａは、ブラケット３１に設けた保持部３１ｃに嵌挿され、各コイル部４１ａ，４２ａの間に絶縁部材５０を備えたことを特徴とする。【選択図】    図４
2008306890.tif 000002
【特許請求の範囲】
【請求項１】
内周にマグネットを有するフレームと、前記フレームの開口を閉鎖するブラケットと、前記フレーム及び前記ブラケットに回転可能に支持されるシャフトと、前記シャフトに固定されるロータコアと、前記ロータコアに巻装されるコイルと、前記シャフトに固定され、前記コイルと接続されるコミテータと、前記コミテータの周面に摺接される複数のブラシと、前記各ブラシを前記コミテータに対して付勢する複数の付勢手段と、を備えた電動機において、
前記複数の付勢手段は、コイル部と、前記コイル部から延伸し、前記ブラシに当接する当接部と、をそれぞれ有し、
前記各コイル部は、前記ブラケットに設けた保持部に嵌挿され、
前記各コイル部の間に絶縁部材を備えたことを特徴とする電動機。
【請求項２】
前記絶縁部材は、孔を有する板状の部材からなり、前記保持部に嵌挿されることを特徴とする請求項１記載の電動機。
【請求項３】
前記絶縁部材は、前記各コイル部の径より大きいことを特徴とする請求項１又は請求項２に記載の電動機。
【請求項４】
緊急時に乗員を拘束するシートベルトと、このシートベルトを巻き取るシートベルトリトラクタと、このシートベルトリトラクタから引き出された前記シートベルトを乗員のショルダーの方へガイドするシートベルト用ガイドアンカーと、このシートベルト用ガイドアンカーからガイドされてきた前記シートベルトに摺動自在に支持されたタングプレートと、前記タングプレートが係脱可能に挿入係合されるバックルを少なくとも備えたシートベルト装置において、請求項１乃至請求項３のいずれかに記載された電動機を備え、前記電動機を備えた前記シートベルトリトラクタにより前記シートベルトを巻き取ることが可能であることを特徴とするシートベルト装置。
【発明の詳細な説明】
【技術分野】
【０００１】
本発明は、ロータにコミテータを通じて電源供給するブラシを付勢するための付勢手段を備えた電動機及びそれを備えたシートベルト装置の技術分野に属するものである。
【背景技術】
【０００２】
従来、電動機のブラシをコミテータへ向けて押圧するブラシスプリングを単一の部品として構成し、部品点数の低減化や組付性の向上を図ったものがある（特許文献１参照）。また、隣接するブラシスプリングの間に絶縁性の隔壁を介在させ、ブラシ間の短絡を防止する電動機がある（特許文献２参照）。
【特許文献１】特開２００６−９４６４７号公報
【特許文献２】特開２００６−３２０１５２号公報
【発明の開示】
【発明が解決しようとする課題】
【０００３】
しかしながら、特許文献１に記載された電動機では、ブラシスプリングを単一の部品として構成しているため、ブラシと当接するブラシスプリングの各延出部がコミテータを押圧する際に、一方の延出部のブラシ押圧力が他方の延出部のブラシ押圧力に影響し、それぞれのブラシをコミテータへ向けて押圧する押圧力が安定しないことがあった。また、一方の延出部の先端部分に絶縁コーティングを施す構成によりブラシ間の絶縁をしているので、ブラシとブラシスプリングとの当接部の摩擦等により絶縁コーティングが弱くなり、安定した絶縁を達成することができなかった。
【０００４】
さらに、特許文献２に記載された電動機では、ブラシスプリングを周方向に並べ、その間に絶縁用の隔壁を備えるため、モータの径が大きくなる問題があった。
【０００５】
本発明は、このような事情に鑑みてなされたものであって、その目的は、小型で安定したブラシ押圧力及び絶縁性を有する電動機及びそれを備えたシートベルト装置を提供することである。
【課題を解決するための手段】
【０００６】
前述の課題を解決するために、請求項１の発明は、内周にマグネットを有するフレームと、前記フレームの開口を閉鎖するブラケットと、前記フレーム及び前記ブラケットに回転可能に支持されるシャフトと、前記シャフトに固定されるロータコアと、前記ロータコアに巻装されるコイルと、前記シャフトに固定され、前記コイルと接続されるコミテータと、前記コミテータの周面に摺接される複数のブラシと、前記各ブラシを前記コミテータに対して付勢する複数の付勢手段と、を備えた電動機において、前記複数の付勢手段は、コイル部と、前記コイル部から延伸し、前記ブラシに当接する当接部と、をそれぞれ有し、前記各コイル部は、前記ブラケットに設けた保持部に嵌挿され、前記各コイル部の間に絶縁部材を備えたことを特徴とする。
【０００７】
また、請求項２の発明は、前記絶縁部材は、孔を有する板状の部材からなり、前記保持部に嵌挿されることを特徴とする。
【０００８】
また、請求項３の発明は、前記絶縁部材は、前記各コイル部の径より大きいことを特徴とする。
【０００９】
さらに、請求項４の発明は、緊急時に乗員を拘束するシートベルトと、このシートベルトを巻き取るシートベルトリトラクタと、このシートベルトリトラクタから引き出された前記シートベルトを乗員のショルダーの方へガイドするシートベルト用ガイドアンカーと、このシートベルト用ガイドアンカーからガイドされてきた前記シートベルトに摺動自在に支持されたタングプレートと、前記タングプレートが係脱可能に挿入係合されるバックルを少なくとも備えたシートベルト装置において、請求項１乃至請求項３のいずれかに記載された電動機を備え、前記電動機を備えた前記シートベルトリトラクタにより前記シートベルトを巻き取ることが可能であることを特徴とする。
【発明の効果】
【００１０】
このように構成された本発明に係る電動機によれば、複数の付勢手段の各コイル部をブラケットに設けた一つの保持部に重ねて嵌挿したので、従来に比べ、付勢手段の設置スペースを小さくすることができ、電動機を小型化することができる。また、複数のブラシに対応する複数の付勢手段を設け、絶縁部材を複数の付勢手段の間に備えたので、安定したブラシ押圧力及び絶縁性を有する。また、絶縁部材は、各コイル部の径より大きいので、絶縁性を強くすることができる。さらに、この電動機を備えたシートベルト装置を小型化することができ、安定した作動をすることができる。
【発明を実施するための最良の形態】
【００１１】
以下、図面を用いて、本発明の実施の形態を説明する。図１乃至図３は、本発明にかかる電動機の実施の形態を示す。図１は本実施形態の電動機の縦断面図、図２は本実施形態の電動機の平面図、図３は図１における本実施形態の電動機のブラケット部のＡ−Ａ線の横断面図である。
【００１２】
電動機１は、フレーム部１０、ロータ部２０及びブラケット部３０を備える。
【００１３】
フレーム部１０は、フレームの一例としてのヨークフレーム１１、マグネット１２を有し、ヨークフレーム１１の内周面にマグネット１２が接着固定されている。本実施形態のマグネットは４つの磁極数を有し、ヨークフレーム１１にマグネット１２を接着した後、着磁する構成としている。また、ヨークフレーム１１は、ロータ部２０を支持する内面凹状の支持部１１ａとブラケット部３０を嵌装する開口部１１ｂを有する。
【００１４】
ロータ部２０は、回転する際の中心軸となるシャフト２１と、シャフト２１に固定されるロータコア２２と、ロータコア２２に巻装されるコイル２３と、ブラケット部３０に対向する位置においてシャフト２１に固定され、コイル２３と接続されるコミテータ２４と、シャフト２１をヨークフレーム１１の支持部１１ａに回転可能に支持するベアリング２５と、シャフト２１をブラケット部３０に回転可能に支持するベアリング２６と、を有する。
【００１５】
ブラケット部３０は、樹脂等からなり、ヨークフレーム１１の開口部１１ｂを覆うブラケット本体３１と、ブラケット本体３１に設置され、コミテータ２４の周方向における配置角度を直角とし、コミテータ２４の軸線に直交する方向に摺動し、当接可能な第１ブラシ３２及び第２ブラシ３３と、第１ブラシ３２及び第２ブラシ３３に電源を供給するターミナル３４と、後述するシートベルト等の外部部材に結合するためのナット３５、ノイズを低減するチョークコイル３６、発火発煙対策のためのサーキットブレーカ３７、第１ブラシ３２及び第２ブラシ３３をコミテータ２４に押圧する付勢手段の一例としてのブラシスプリング４０等を有する。また、ブラケット本体３１は、シャフト２１を貫通支持する孔部３１ａ、ベアリング２６を内装する内面凹状の支持部３１ｂ、ブラシスプリング４０を支持する保持部の一例としての保持柱部３１ｃ等を有する。
【００１６】
図４は、本実施形態の電動機１におけるブラシスプリング４０の設置部分を示す図であり、図４（ａ）は正面図、図４（ｂ）は側面図である。ブラシスプリング４０は、第１スプリング４１及び第２スプリング４２からなり、ブラケット本体３１に形成された保持柱３１ｃにそれぞれの第１スプリングコイル部４１ａ及び第２スプリングコイル部４２ａを嵌挿され、支持される。第１スプリング４１及び第２スプリング４２は、それぞれ一端に第１ブラシ３２及び第２ブラシ３３に当接する第１当接部４１ｂ及び第２当接部４２ｂを有し、他端にブラケット本体３１の図示しない掛止部に当接する第１押さえ部４１ｃ及び第２押さえ部４２ｃを有する。
【００１７】
第１スプリングコイル部４１ａと第２スプリングコイル部４２ａとの間には、絶縁部材からなるスプリングスペーサ５０を備える。スプリングスペーサ５０は、薄板状の部材であり、孔５０ａを有し、保持柱部３１ｃに該孔５０ａを嵌挿する。また、スプリングスペーサ５０の外周径は、第１スプリングコイル部４１ａと第２スプリングコイル部４２ａの径より大きくすると絶縁性がより強くなる。
【００１８】
このように、ブラシスプリング４０を設置する際は、まず、第１スプリング４１の第１スプリングコイル部４１ａを保持柱３１ｃに嵌挿し、第１押さえ部４１ｃをブラケット本体３１の図示しない掛止部に当接させ、第１当接部４１ｂを第１ブラシ３２に当接させる。次に、絶縁性を有するスプリングスペーサ５０を嵌挿する。そして、第２スプリング４２の第２スプリングコイル部４２ａを保持柱３１ｃに嵌挿し、第２押さえ部４２ｃをブラケット本体３１の図示しない掛止部に当接させ、第２当接部４２ｂを第２ブラシ３３に当接させる。
【００１９】
図５は、本実施形態の電動機１をシートベルト装置９０に備えた図を示す。シートベルト装置９０は、緊急時に乗員を拘束するシートベルト９１と、このシートベルト９１を巻き取るシートベルトリトラクタ９２と、このシートベルトリトラクタ９２から引き出されたシートベルト９１を乗員のショルダーの方へガイドするシートベルト用ガイドアンカー９３と、このシートベルト用ガイドアンカー９３からガイドされてきたシートベルト９１に摺動自在に支持されたタングプレート９４と、シートベルトの端部を固定する固定アンカー９５と、タングプレート９４が係脱可能に挿入係合されるバックル９６等を備え、電動機１を備えたシートベルトリトラクタ９２によりシートベルト９１を巻き取ることが可能である。
【００２０】
このように構成された本実施形態の電動機１によれば、第１スプリング４１及び第２スプリング４２の第１スプリングコイル部４１ａと第２スプリングコイル部４２ａとをブラケット本体３１に設けた一つの保持柱３１ｃに重ねて嵌挿し、第１スプリングコイル部４１ａと第２スプリングコイル部４２ａの間にスプリングスペーサ５０を備えたので、従来に比べ、第１スプリング４１及び第２スプリング４２の設置スペースを小さくすることができ、電動機１を小型化することができる。また、第１ブラシ３２及び第２ブラシ３３に対応する第１スプリング４１及び第２スプリング４２を設け、スプリングスペーサ５０を第１スプリング４１と第２スプリング４２の間に備えたので、安定したブラシ押圧力及び絶縁性を有する。さらに、この電動機１を備えたシートベルト装置９０を小型化することができると共に、安定した作動をすることができる。
【産業上の利用可能性】
【００２１】
本発明に係る電動機によれば、従来に比べ、複数のスプリングの設置スペースを小さくすることができ、電動機を小型化することができる。また、安定したブラシ押圧力及び絶縁性を有することができる。さらに、この電動機を備えたシートベルト装置を小型化することができると共に、安定した作動をすることができる。
【図面の簡単な説明】
【００２２】
【図１】本実施形態の電動機の縦断面図である。
【図２】本実施形態の電動機の平面図である。
【図３】本実施形態の電動機の横断面図である。
【図４】本実施形態のブラシスプリングの設置部分を示す図である。
【図５】本実施形態の電動機を備えたシートベルト装置を示す図である。
【符号の説明】
【００２３】
１…電動機、１０…フレーム部、１１…ヨークフレーム、１２…マグネット、２０…ロータ部、２１…シャフト、２２…ロータコア、２３…コイル、２４…コミテータ、２５，２６…ベアリング、３０…ブラケット部、３１…ブラケット本体、３１ａ…孔部、３１ｂ…支持部、３１ｃ…保持柱、３２…第１ブラシ、３３…第２ブラシ、３４…ターミナル、３５…ナット、３６…チョークコイル、３７…サーキットブレーカ、４０…ブラシスプリング、４１…第１スプリング、４１ａ…第１スプリングコイル部、４１ｂ…第１当接部、４１ｃ…第１押さえ部、４２…第２スプリング、４２ａ…第２スプリングコイル部、４２ｂ…第２当接部、４２ｃ…第２押さえ部、５０…スプリングスペーサ、９０…シートベルト装置、９１…シートベルト、９２…シートベルトリトラクタ、９３…シートベルト用ガイドアンカー、９４…タングプレート、９５…固定アンカー、９６…バックル
【図１】
2008306890.tif 000003
【図２】
2008306890.tif 000004
【図３】
2008306890.tif 000005
【図４】
2008306890.tif 000006
【図５】
2008306890.tif 000007